(57)【要約】【課題】  外来電磁波による雑音発生を防止するとともに、マイクケースに高い電圧が現れないようにして感電の危険性をなくす。【解決手段】  コンデンサマイクユニット用の電子回路２０が内蔵されている導電性を有するマイクケース１０と、マイクケース１０に取り付けられていて成極電源を含む外部機器からのマイクケーブル４０が接続される３ピンタイプの出力コネクタ３０とを含むコンデンサマイクロホンにおいて、出力コネクタ３０に含まれている接地用の１番ピンをマイクケース１０に直接的に接続するとともに、電子回路２０のグランドＧＮＤに対して高周波チョークコイル３１を介して接続する。【選択図】  図１
2005244409.tif 000002
【特許請求の範囲】
【請求項１】
コンデンサマイクユニット用の電子回路が内蔵されている導電性を有するマイクケースと、上記マイクケースに取り付けられていて成極電源を含む外部機器からのマイクケーブルが接続される３ピンタイプの出力コネクタとを含むコンデンサマイクロホンにおいて、
上記出力コネクタに含まれている接地ピンが上記マイクケースに直接的に接続されているとともに、上記電子回路のグランドに対して高周波チョークコイルを介して接続されていることを特徴とするコンデンサマイクロホン。
【請求項２】
上記高周波チョークコイルが上記電子回路の回路基板上に実装されていることを特徴とする請求項１に記載のコンデンサマイクロホン。
【発明の詳細な説明】
【技術分野】
【０００１】
本発明はコンデンサマイクロホンに関し、さらに詳しく言えば、例えば携帯電話機などから発生される高い周波数の電磁波ノイズに起因する雑音発生を防止する技術に関するものである。
【背景技術】
【０００２】
コンデンサマイクロホンは、そのコンデンサマイクユニットのインピーダンスがきわめて高いため、ＦＥＴ（電界効果トランジスタ）などのインピーダンス変換器を内蔵している。通常、コンデンサマイクロホンにおいてはファントム電源が用いられ、マイクロホン出力はその平衡シールドケーブルを介して出力される。
【０００３】
例えばハンド（手持ち式）マイクロホンについて言えば、通常、３ピンタイプの出力コネクタを備えており、マイクロホンとマイクケーブルとが着脱可能となっている。上記出力コネクタはＥＩＡＪ  ＲＣ−５２３６「音響機器用ラッチロック式丸型コネクタ」で規定されるコネクタで、一例として特許文献１に示されているように、電気絶縁体からなる円柱状の基台に接地用の１番ピン，信号のホット側として用いられる２番ピン，信号のコールド側として用いられる３番ピンの３本のピンが貫設されている。
【０００４】
マイクケースは例えば真鍮などの金属材からなるシールドケースでもあり、その内部にはコンデンサマイクユニット用のインピーダンス変換器を含む出力回路や成極電圧発生回路などを備えている電子回路が内蔵されているが、強い電磁波がマイクロホンもしくはマイクケーブルに加えられると、その電磁波がマイクケーブルから出力コネクタを介してマイクケース内に入り込み、インピーダンス変換器で復調され可聴周波数の雑音としてマイクロホンから出力されてしまうことがある。
【０００５】
このような出力コネクタからマイクケース内への電磁波の侵入による雑音発生を防止するための手法のひとつとして、電子回路のグランドをマイクケースに配線にて接続するとともに、出力コネクタに含まれている接地用の１番ピンをマイクケースに直結する方法が提案されている（非特許文献１参照）。
【０００６】
【特許文献１】特開平１１−３４１５８３号公報
【非特許文献１】Ｊｉｍ  Ｂｒｏｗｎ，Ｄａｖｉｄ  Ｊｏｓｅｐｈｓｏｎ共著「Ｒａｄｉｏ  Ｆｒｅｑｕｅｎｃｙ  Ｓｕｓｃｅｐｔｉｂｉｌｉｔｙ  ｏｆ  Ｃａｐａｃｉｔｏｒ  Ｍｉｃｒｏｐｈｏｎｅｓ」  Ａｕｄｉｏ  Ｅｎｇｉｎｅｅｒｉｎｇ  Ｓｏｃｉｅｔｙ  Ｃｏｎｖｅｎｔｉｏｎ  Ｐａｐｅｒ  ５７２０（ｐ１２，図８）
【発明の開示】
【発明が解決しようとする課題】
【０００７】
非特許文献１に記載の方法によれば、電子回路とマイクケースとの間の浮遊容量によるループ電流路が形成されず、また、接地用の１番ピンから電子回路のグランドに接続される配線、すなわちアンテナとして作用するものがないため電磁波の侵入を効果的に防止することができる。
【０００８】
しかしながら、非特許文献１に記載の方法による場合、接地用の１番ピンがマイクケースに直結されているためファントム電源を用いるとマイクケースに電流が流れる。したがって、接地用の１番ピンがなんらかの原因でマイクケースから外れてしまうと、マイクケースの電位が４８Ｖファントム電源の場合には３０Ｖ以上になってしまいマイクケースに手を触れると感電する危険がある。
【０００９】
したがって、本発明の課題は、雑音発生の原因となる高い周波数の電磁波が３ピンタイプの出力コネクタからマイクケース内に侵入するのを防止するため、上記非特許文献１のように出力コネクタに含まれる接地用の１番ピンをマイクケースに直結するようにしたコンデンサマイクロホンにおいて、接地用の１番ピンがなんらかの原因でマイクケースから外れたとしても感電する危険性をなくすことにある。
【００１０】
上記課題を解決するため、本願の請求項１に係る発明は、コンデンサマイクユニット用の電子回路が内蔵されている導電性を有するマイクケースと、上記マイクケースに取り付けられていて成極電源を含む外部機器からのマイクケーブルが接続される３ピンタイプの出力コネクタとを含むコンデンサマイクロホンにおいて、上記出力コネクタに含まれている接地ピンが上記マイクケースに直接的に接続されているとともに、上記電子回路のグランドに対して高周波チョークコイルを介して接続されていることを特徴としている。
【００１１】
また、本願の請求項２に係る発明は、上記高周波チョークコイルが上記電子回路の回路基板上に実装されていることを特徴としている。
【発明の効果】
【００１２】
請求項１に係る発明によれば、外来電磁波による高周波電流は上記高周波チョークコイルにより電子回路には入り込まずマイクケースに流れる。直流的には接地ピンが上記電子回路のグランドに接続されているため、接地ピンががたとえマイクケースから外れたとしてもマイクケースの電位が上昇することがなく感電する危険性もない。
【００１３】
請求項２に係る発明によれば、上記高周波チョークコイルが上記電子回路の回路基板上に実装されていることにより、その回路基板が壊されない限り感電の危険性を回避することができる。
【発明を実施するための最良の形態】
【００１４】
次に、図１を参照して本発明の実施形態について説明するが、本発明はこれに限定されるものではない。図１は本発明によるコンデンサマイクロホンの要部の構成を示す模式図である。
【００１５】
図１に鎖線枠で示し参照符号１０が付されている部分が本発明によるコンデンサマイクロホンのマイクケースである。このマイクケース１０はシールドケースでもあるため導電性を有する真鍮などの金属材よりなる。ハンド（手持ち式）マイクロホンの場合、マイクケース１０は人手で握られるグリップ部として用いられる。
【００１６】
マイクケース１０内には図示しないコンデンサマイクユニット用の電子回路２０が内蔵されている。詳しくは図示しないが、電子回路２０にはインピーダンス変換器としてのＦＥＴや成極電圧発生回路などが実装されている。なお、ＧＮＤは電子回路２０のグランド（接地）であり、所定の配線コード２１を介してマイクケース１０に接続（接地）されている。
【００１７】
マイクケース１０には出力コネクタ３０が設けられており、この出力コネクタ３０に図示しない例えばファントム電源を含む外部機器からのマイクケーブル（平衡シールドケーブル）４０が接続される。出力コネクタ３０にはＥＩＡＪ  ＲＣ−５２３６「音響機器用ラッチロック式丸型コネクタ」で規定される３ピンタイプのコネクタが用いられる。
【００１８】
すなわち、出力コネクタ３０は接地用（シールド用）の１番ピン，信号のホット側として用いられる２番ピン，信号のコールド側として用いられる３番ピンを備えている。なお、図中の符号「１」「２」「３」は１番ピン，２番ピン，３番ピンに対応している。
【００１９】
信号用の２番ピン，３番ピンは電子回路２０の所定の入出力端子に接続されるが、接地用の１番ピンはマイクケース１０に直接接続されている。また、接地用の１番ピンは高周波チョークコイル３１を介して電子回路２０のグランドＧＮＤに接続されている。
【００２０】
この構成によれば、外来電磁波に起因する高周波電流は接地用の１番ピンから電子回路２０に流れ込まずマイクケース１０に流れる。また、直流的には接地用の１番ピンと電子回路２０とが接続されているため、接地用の１番ピンがなんらかの原因でマイクケース１０から外れたとしてもマイクケース１０の電圧が上昇することがないので感電の危険性はない。
【００２１】
なお、高周波チョークコイル３１を電子回路２０の回路基板に実装し、その回路基板上で高周波チョークコイル３１と接地用の１番ピンとを接続することが好ましく、これによれば上記回路基板が破壊されない限り高周波チョークコイル３１と接地用の１番ピンとの接続が保たれるため安全性がより高められる。
【図面の簡単な説明】
【００２２】
【図１】本発明によるコンデンサマイクロホンの要部の構成を示す模式図。
【符号の説明】
【００２３】
１０  マイクケース
２０  コンデンサマイクユニット用の電子回路
３０  出力コネクタ
３１  高周波チョークコイル
４０  マイクケーブル
【図１】
2005244409.tif 000003